(57)【特許請求の範囲】
【請求項１】
端末の性能報告方法において、
性能報告を指示する制御メッセージが受信されれば、ＲＡＴ（Ｒａｄｉｏ  Ａｃｃｅｓｓ  Ｔｅｃｈｎｏｌｏｇｙ）Ｔｙｐｅを確認する過程と、  
前記ＲＡＴ  ＴｙｐｅがＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定されていれば、前記端末が支援するバンド組合に対して少なくとも１つ以上のｂａｎｄ  ｃｏｍｂｉｎａｔｉｏｎ情報を伝送する過程と、を含み、
前記ｂａｎｄ  ｃｏｍｂｉｎａｔｉｏｎ情報は、少なくとも１つのｂａｎｄ  ｐａｒａｍｅｔｅｒを含み、
前記ｂａｎｄ  ｐａｒａｍｅｔｅｒは、ＣＡ（ｃａｒｒｉｅｒ  ａｇｇｒｅｇａｔｉｏｎ）情報及び動作可能なレイヤー（ｌａｙｅｒ）の数に関する情報を含み、
前記ＣＡ情報は、集積できるキャリアの個数及び帯域幅に関する情報を含むことを特徴とする性能報告方法。
【請求項２】
前記ｂａｎｄ  ｃｏｍｂｉｎａｔｉｏｎ情報を伝送する過程は、
同一のｍｅａｓｕｒｅｍｅｎｔ  ｇａｐ  ｒｅｑｕｉｒｅｍｅｎｔを有する少なくとも１つ以上の単位性能を前記ｂａｎｄ  ｃｏｍｂｉｎａｔｉｏｎ情報に組み合わせる過程を含むことを特徴とする請求項１に記載の性能報告方法。
【請求項３】
前記単位性能は、バンドを指示するインデックスであるｂａｎｄ  ｉｎｄｉｃａｔｏｒ、前記ＣＡ情報及び前記レイヤーの数に関する情報を含むことを特徴とする請求項２に記載の性能報告方法。
【請求項４】
前記ｂａｎｄ  ｃｏｍｂｉｎａｔｉｏｎ情報は、多数個のｂａｎｄ  ｐａｒａｍｅｔｅｒによって構成されることを特徴とする請求項１に記載の性能報告方法。
【請求項５】
前記ｂａｎｄ  ｐａｒａｍｅｔｅｒは、
バンドを指示するインデックスであるｂａｎｄ  ｉｎｄｉｃａｔｏｒ及び少なくとも１つの単位性能を含むことを特徴とする請求項４に記載の性能報告方法。
【請求項６】
前記単位性能は、同一のｂａｎｄ  ｃｏｍｂｉｎａｔｉｏｎの１つのｂａｎｄ  ｐａｒａｍｅｔｅｒに含まれたすべての単位性能と他のｂａｎｄ  ｐａｒａｍｅｔｅｒに含まれたすべての単位性能間のすべての組合が支援されるように構成されることを特徴とする請求項５に記載の性能報告方法。
【請求項７】
伝送された少なくとも１つのｂａｎｄ  ｃｏｍｂｉｎａｔｉｏｎ情報に対応して受信された設定命令によって再設定を行う段階をさらに含むことを特徴とする請求項１に記載の性能報告方法。
【請求項８】
性能報告を指示する制御メッセージを受信する送受信部と、
前記性能報告を指示する制御メッセージによって確認されたＲＡＴ（Ｒａｄｉｏ  Ａｃｃｅｓｓ  Ｔｅｃｈｎｏｌｏｇｙ）ＴｙｐｅがＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定されていれば、通信部を制御し、端末が支援するバンド組合に対して少なくとも１つ以上のｂａｎｄ  ｃｏｍｂｉｎａｔｉｏｎ情報を伝送する制御部を含み、
前記ｂａｎｄ  ｃｏｍｂｉｎａｔｉｏｎ情報は、少なくとも１つのｂａｎｄ  ｐａｒａｍｅｔｅｒを含み、
前記ｂａｎｄ  ｐａｒａｍｅｔｅｒは、ＣＡ（ｃａｒｒｉｅｒ  ａｇｇｒｅｇａｔｉｏｎ）情報及び動作可能なレイヤー（ｌａｙｅｒ）の数に関する情報を含み、
前記ＣＡ情報は、集積できるキャリアの個数及び帯域幅に関する情報を含むことを特徴とする性能報告装置。
【請求項９】
前記制御部は、同一のｍｅａｓｕｒｅｍｅｎｔ  ｇａｐ  ｒｅｑｕｉｒｅｍｅｎｔを有する少なくとも１つ以上の単位性能を前記ｂａｎｄ  ｃｏｍｂｉｎａｔｉｏｎ情報に組み合わせることを特徴とする請求項８に記載の性能報告装置。
【請求項１０】
前記単位性能は、
バンドを指示するインデックスであるｂａｎｄ  ｉｎｄｉｃａｔｏｒ、前記ＣＡ情報及び前記レイヤーの数に関する情報を含むことを特徴とする請求項９に記載の性能報告装置。
【請求項１１】
前記ｂａｎｄ  ｃｏｍｂｉｎａｔｉｏｎ情報は、多数個のｂａｎｄ  ｐａｒａｍｅｔｅｒによって構成されることを特徴とする請求項８に記載の性能報告装置。
【請求項１２】
前記ｂａｎｄ  ｐａｒａｍｅｔｅｒは、バンドを指示するインデックスであるｂａｎｄ  ｉｎｄｉｃａｔｏｒ及び少なくとも１つの単位性能を含むことを特徴とする請求項１１に記載の性能報告装置。
【請求項１３】
前記単位性能は、同一のｂａｎｄ  ｃｏｍｂｉｎａｔｉｏｎの１つのｂａｎｄ  ｐａｒａｍｅｔｅｒに含まれたすべての単位性能と他のｂａｎｄ  ｐａｒａｍｅｔｅｒに含まれたすべての単位性能間のすべての組合が支援されるように構成されることを特徴とする請求項１２に記載の性能報告装置。
【請求項１４】
前記制御部は、伝送された少なくとも１つのｂａｎｄ  ｃｏｍｂｉｎａｔｉｏｎ情報に対応して受信された設定命令によって再設定を行うように制御することを特徴とする請求項８に記載の性能報告装置。
【請求項１５】
基地局の端末性能受信方法において、
性能報告を指示する制御メッセージを端末に伝送する段階と、
前記端末から、前記端末が支援するバンド組合に対して少なくとも１つ以上のｂａｎｄ  ｃｏｍｂｉｎａｔｉｏｎ情報を受信する段階と、を含み、
前記制御メッセージは、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）指示子を含み、
前記ｂａｎｄ  ｃｏｍｂｉｎａｔｉｏｎ情報は、少なくとも１つのｂａｎｄ  ｐａｒａｍｅｔｅｒを含み、
前記ｂａｎｄ  ｐａｒａｍｅｔｅｒは、ＣＡ（ｃａｒｒｉｅｒ  ａｇｇｒｅｇａｔｉｏｎ）情報及び動作可能なレイヤー（ｌａｙｅｒ）の数に関する情報を含み、
前記ＣＡ情報は、集積できるキャリアの個数及び帯域幅に関する情報を含むことを特徴とする端末性能受信方法。
【請求項１６】
前記ｂａｎｄ  ｃｏｍｂｉｎａｔｉｏｎ情報は、
同一のｍｅａｓｕｒｅｍｅｎｔ  ｇａｐ  ｒｅｑｕｉｒｅｍｅｎｔを有する少なくとも１つ以上の単位性能を含むことを特徴とする請求項１５に記載の端末性能受信方法。
【請求項１７】
前記単位性能は、バンドを指示するインデックスであるｂａｎｄ  ｉｎｄｉｃａｔｏｒ、 前記ＣＡ情報及び前記レイヤーの数に関する情報を含むことを特徴とする請求項１６に記載の端末性能受信方法。
【請求項１８】
前記ｂａｎｄ  ｃｏｍｂｉｎａｔｉｏｎ情報は、多数個のｂａｎｄ  ｐａｒａｍｅｔｅｒによって構成されることを特徴とする請求項１５に記載の端末性能受信方法。
【請求項１９】
前記ｂａｎｄ  ｐａｒａｍｅｔｅｒは、バンドを指示するインデックスであるｂａｎｄ  ｉｎｄｉｃａｔｏｒ及び少なくとも１つの単位性能を含むことを特徴とする請求項１８に記載の端末性能受信方法。
【請求項２０】
前記単位性能は、同一のｂａｎｄ  ｃｏｍｂｉｎａｔｉｏｎの１つのｂａｎｄ  ｐａｒａｍｅｔｅｒに含まれたすべての単位性能と他のｂａｎｄ  ｐａｒａｍｅｔｅｒに含まれたすべての単位性能間のすべての組合が支援されるように構成されることを特徴とする請求項１９に記載の端末性能受信方法。
【請求項２１】
基地局において、
信号を送信及び受信する通信部と、
性能報告を指示する制御メッセージを端末に伝送し、前記端末から、前記端末が支援するバンド組合に対して少なくとも１つ以上のｂａｎｄ  ｃｏｍｂｉｎａｔｉｏｎ情報を受信するように制御する制御部と、を含み、
前記制御メッセージは、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）指示子を含み、
前記ｂａｎｄ  ｃｏｍｂｉｎａｔｉｏｎ情報は、少なくとも１つのｂａｎｄ  ｐａｒａｍｅｔｅｒを含み、
前記ｂａｎｄ  ｐａｒａｍｅｔｅｒは、ＣＡ（ｃａｒｒｉｅｒ  ａｇｇｒｅｇａｔｉｏｎ）情報及び動作可能なレイヤー（ｌａｙｅｒ）の数に関する情報を含み、
前記ＣＡ情報は、集積できるキャリアの個数及び帯域幅に関する情報を含むことを特徴とする基地局。
【請求項２２】
前記ｂａｎｄ  ｃｏｍｂｉｎａｔｉｏｎ情報は、
同一のｍｅａｓｕｒｅｍｅｎｔ  ｇａｐ  ｒｅｑｕｉｒｅｍｅｎｔを有する少なくとも１つ以上の単位性能を含むことを特徴とする請求項２１に記載の基地局。
【請求項２３】
前記単位性能は、バンドを指示するインデックスであるｂａｎｄ  ｉｎｄｉｃａｔｏｒ、前記ＣＡ情報及び前記レイヤーの数に関する情報を含むことを特徴とする請求項２２に記載の基地局。
【請求項２４】
前記ｂａｎｄ  ｃｏｍｂｉｎａｔｉｏｎ情報は、多数個のｂａｎｄ  ｐａｒａｍｅｔｅｒによって構成されることを特徴とする請求項２１に記載の基地局。
【請求項２５】
前記ｂａｎｄ  ｐａｒａｍｅｔｅｒは、バンドを指示するインデックスであるｂａｎｄ  ｉｎｄｉｃａｔｏｒ及び少なくとも１つの単位性能を含むことを特徴とする請求項２４に記載の基地局。
【請求項２６】
前記単位性能は、同一のｂａｎｄ  ｃｏｍｂｉｎａｔｉｏｎの１つのｂａｎｄ  ｐａｒａｍｅｔｅｒに含まれたすべての単位性能と他のｂａｎｄ  ｐａｒａｍｅｔｅｒに含まれたすべての単位性能間のすべての組合が支援されるように構成されることを特徴とする請求項２５に記載の基地局。
【発明の詳細な説明】
【技術分野】
【０００１】
本発明は、移動通信システムで端末の性能を報告する方法及び装置に関し、特にキャリア集積（Ｃａｒｒｉｅｒ  Ａｇｇｒｅｇａｔｉｏｎ）のような新しい機能を有している端末の性能を効率的に報告する方法及び装置に関する。
【背景技術】
【０００２】
一般的に、移動通信システムは、ユーザの移動性を確保しながら通信を提供するための目的で開発された。このような移動通信システムは、技術の飛躍的な発展に伴い、音声通信はもちろん、高速のデータ通信サービスを提供することができる段階に至った。
【０００３】
近年、次世代移動通信システムのうち１つとして３ＧＰＰ（３ｒｄ  ＧｅｎｅｒａｔｉｏｎＰａｒｔｎｅｒｓｈｉｐ  Ｐｒｏｊｅｃｔ）でＬＴＥ（Ｌｏｎｇ  Ｔｅｒｍ  Ｅｖｏｌｕｔｉｏｎ）システムに対する規格作業が進行中にある。ＬＴＥシステムは、２０１０年程度を商用化の目標にして、現在提供されているデータ伝送率よりも高い最大１００Ｍｂｐｓ程度の伝送速度を有する高速パケット基盤通信を具現する技術であり、現在規格化がほぼ完了した。ＬＴＥ規格の完了に伴い、最近、ＬＴＥ通信システムに様々な新技術を結合し、伝送速度をさらに向上させる進化したＬＴＥシステム（ＬＴＥ−Ａｄｖａｎｃｅｄ、ＬＴＥ−Ａ）に対する論議が本格化されている。以下、ＬＴＥシステムというのは、既存のＬＴＥシステムとＬＴＥ−Ａシステムを含む意味として理解する。
【発明の概要】
【発明が解決しようとする課題】
【０００４】
新しく導入される技術のうち代表的なものとして、キャリア集積（Ｃａｒｒｉｅｒ  Ａｇｇｒｅｇａｔｉｏｎ）を挙げることができる。キャリア集積は、端末が多重キャリアを利用してデータを送受信する技術である。より具体的に、端末は、集積した複数のキャリアの所定のセル（通常、同一の基地局に属するセル）を通じてデータを送受信し、これは、結局、端末が複数個のセルを通じてデータを送受信するものと同一である。
【０００５】
最近、新しく導入された技術としてＭＩＭＯ（Ｍｕｌｔｉｐｌｅ  Ｉｎｐｕｔ  Ｍｕｌｔｉｐｌｅ  Ｏｕｔｐｕｔ）などのような技術もある。本発明では、上記新しく導入した技術と関連した端末の性能情報を基地局に効率的に報告することによって、基地局と端末が効率的に移動通信を行う方法を提示する。
【課題を解決するための手段】
【０００６】
前述したような問題点を解決するために、本発明において、端末の性能報告方法は、性能報告を指示する制御メッセージが受信されれば、ＲＡＴ（Ｒａｄｉｏ  Ａｃｃｅｓｓ  Ｔｅｃｈｎｏｌｏｇｙ）Ｔｙｐｅを確認する過程と、上記ＲＡＴ  ＴｙｐｅがＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定されていれば、上記端末が支援するバンド組合に対して少なくとも１つ以上のｂａｎｄ  ｃｏｍｂｉｎａｔｉｏｎ情報を伝送する過程とで構成される。
【０００７】
本発明において、上記ｂａｎｄ  ｃｏｍｂｉｎａｔｉｏｎ情報を伝送する過程は、同一のｍｅａｓｕｒｅｍｅｎｔ  ｇａｐ  ｒｅｑｕｉｒｅｍｅｎｔを有する少なくとも１つ以上の単位性能を上記ｂａｎｄ  ｃｏｍｂｉｎａｔｉｏｎ情報に組み合わせる過程を含む。
【０００８】
また、前述したような問題点を解決するために、本発明において性能報告装置は、性能報告を指示する制御メッセージを受信する送受信部と、上記性能報告を指示する制御メッセージによって確認されたＲＡＴ（Ｒａｄｉｏ  Ａｃｃｅｓｓ  Ｔｅｃｈｎｏｌｏｇｙ）ＴｙｐｅがＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定されていれば、上記通信部を制御し、上記端末が支援するバンド組合に対して少なくとも１つの以上のｂａｎｄ  ｃｏｍｂｉｎａｔｉｏｎ情報を伝送する制御部とを含む。
【０００９】
次に、本発明において、上記制御部は、同一のｍｅａｓｕｒｅｍｅｎｔ  ｇａｐ  ｒｅｑｕｉｒｅｍｅｎｔを有する少なくとも１つ以上の単位性能を上記ｂａｎｄ  ｃｏｍｂｉｎａｔｉｏｎ情報に組み合わせることを特徴とする。
【００１０】
本発明は、移動通信システムにおいてキャリア集積やＭＩＭＯのような技術と関連した情報を端末が網に報告するにあたって、報告される情報の量を最小化することによって、無線伝送資源使用効率を高める。
【図面の簡単な説明】
【００１１】
【図１】図１は、本発明が適用されるＬＴＥシステムの構造を示す図である。
【図２】図２は、本発明が適用されるＬＴＥシステムで無線プロトコル構造を示す図である。
【図３】図３は、本発明が適用される端末でキャリア集積を説明するための図である。
【図４】図４は、本発明の実施例による端末性能情報の一例を示す図である。
【図５】図５は、本発明の実施例による端末性能情報の他の例を示す図である。
【図６】図６は、本発明の実施例によるｍｅａｓｕｒｅｍｅｎｔ  ｇａｐを説明する図である。
【図７】図７は、本発明の実施例によるＬＴＥシステムで全体動作を示す図である。
【図８】図８は、本発明の実施例による端末の動作を示す図である。
【図９】図９は、本発明の実施例による端末装置を示す図である。
【図１０】図１０は、本発明の他の実施例によるレイヤー個数報告及びＭＩＭＯ設定と関連した端末と基地局の動作を示す図である。
【図１１】図１１は、本発明の他の実施例による端末の動作を示す図である。
【発明を実施するための形態】
【００１２】
以下で、本発明を説明するにあたって、関連した公知機能または構成に対する具体的な説明が本発明の要旨を不明にすることができると判断される場合には、その詳細な説明を省略する。以下、添付の図面を参照して本発明の実施例を説明する。
【００１３】
本発明は、端末が自分の性能を網に報告する方法及び装置に関する。以下、本発明を説明するに先立って、ＬＴＥシステム及びキャリア集積について簡略に説明する。
【００１４】
図１は、本発明が適用されるＬＴＥシステムの構造を示す図である。
【００１５】
図１を参照すれば、ＬＴＥシステムの無線アクセスネットワークは、次世代基地局（Ｅｖｏｌｖｅｄ  Ｎｏｄｅ  Ｂ、以下、ＥＮＢ、ＮｏｄｅＢまたは基地局）１０５、１１０、１１５、１２０とＭＭＥ（Ｍｏｂｉｌｉｔｙ  Ｍａｎａｇｅｍｅｎｔ  Ｅｎｔｉｔｙ）１２５及びＳ−ＧＷ（Ｓｅｒｖｉｎｇ−Ｇａｔｅｗａｙ）１３０で構成される。ユーザ端末（Ｕｓｅｒ  Ｅｑｕｉｐｍｅｎｔ、以下、ＵＥまたは端末）１３５は、ＥＮＢ  １０５、１１０、１１５、１２０及びＳ−ＧＷ  １３０を通じて外部ネットワークに接続する。
【００１６】
図１で、ＥＮＢ  １０５、１１０、１１５、１２０は、ＵＭＴＳシステムの既存ノードＢに対応する。ＥＮＢ  １０５、１１０、１１５、１２０は、ＵＥ  １３５と無線チャネルで連結され、既存ノードＢより複雑な役目を行う。
【００１７】
ＬＴＥシステムでは、インターネットプロトコルを通じたＶｏＩＰ（Ｖｏｉｃｅ  ｏｖｅｒＩＰ）のようなリアルタイムサービスを含めたすべてのユーザトラフィックが共用チャネル（ｓｈａｒｅｄ  ｃｈａｎｎｅｌ）を通じてサービスされる。これより、ＵＥ  １３５のバッファー状態、可用伝送電力状態、チャネル状態などの状態情報を取り集めてスケジューリングを行う装置が必要であり、これをＥＮＢ  １０５、１１０、１１５、１２０が担当する。１つのＥＮＢは、通常、多数のセルを制御する。例えば、１００Ｍｂｐｓの伝送速度を具現するために、ＬＴＥシステムは、２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭという）を無線接続技術として使用する。また、ＬＴＥシステムは、端末のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決定する適応変調コーディング（Ａｄａｐｔｉｖｅ  Ｍｏｄｕｌａｔｉｏｎ  ＆  Ｃｏｄｉｎｇ、以下、ＡＭＣという）方式を適用する。Ｓ−ＧＷ  １３０は、データベアラーを提供する装置であり、ＭＭＥ  １２５の制御によってデータベアラーを生成するか、または除去する。ＭＭＥ  １２５は、端末に対する移動性管理機能はもちろん、各種制御機能を担当する装置であって、多数のＥＮＢ  １０５、１１０、１１５、１２０と連結される。
【００１８】
図２は、本発明が適用されるＬＴＥシステムで無線プロトコル構造を示す図である。
【００１９】
図２を参照すれば、ＬＴＥシステムの無線プロトコルは、端末とＥＮＢでそれぞれＰＤＣＰ（Ｐａｃｋｅｔ  Ｄａｔａ  Ｃｏｎｖｅｒｇｅｎｃｅ  Ｐｒｏｔｏｃｏｌ）２０５、２４０、ＲＬＣ（Ｒａｄｉｏ  Ｌｉｎｋ  Ｃｏｎｔｒｏｌ）２１０、２３５、ＭＡＣ（Ｍｅｄｉｕｍ  Ａｃｃｅｓｓ  Ｃｏｎｔｒｏｌ）２１５、２３０、ＰＨＹ（Ｐｈｙｓｉｃａｌ  Ｌａｙｅｒ）２２０、２２５よりなる。ＰＤＣＰ（Ｐａｃｋｅｔ  Ｄａｔａ  Ｃｏｎｖｅｒｇｅｎｃｅ  Ｐｒｏｔｏｃｏｌ）２０５、２４０は、ＩＰヘッダー圧縮／復元などの動作を担当し、無線リンク制御（Ｒａｄｉｏ  Ｌｉｎｋ  Ｃｏｎｔｒｏｌ、以下、ＲＬＣという）２１０、２３５は、ＰＤＣ  ＰＰＤＵ（Ｐａｃｋｅｔ  Ｄａｔａ  Ｕｎｉｔ）を適切なサイズに再構成し、ＡＲＱ動作などを行う。ＭＡＣ  ２１５、２３０は、１端末に構成された様々なＲＬＣ階層装置と連結され、ＲＬＣ  ＰＤＵをＭＡＣ  ＰＤＵに多重化し、ＭＡＣ  ＰＤＵからＲＬＣ  ＰＤＵを逆多重化する動作を行う。ＰＨＹ  ２２０、２２５は、上位階層データをチャネルコーディング及び変調し、ＯＦＤＭシンボルに作って無線チャネルで伝送するか、無線チャネルを通じて受信したＯＦＤＭシンボルを復調し、チャネルデコーディングし、上位階層に伝達する動作をする。図３は、端末でキャリア集積を説明するための図である。図３を参照すれば、１つの基地局では、一般的に様々な周波数帯域にわたって多重キャリアが送出、受信される。例えば、基地局３０５で中心周波数がｆ１のキャリア３１５と中心周波数がｆ３のキャリア３１０が送出されるとき、従来、１つの端末が上記２つのキャリアのうち１つのキャリアを利用してデータを送受信した。しかし、キャリア集積能力を有している端末は、同時に複数個のキャリアからデータを送受信することができる。基地局３０５は、キャリア集積能力を有している端末３３０に対しては、状況によってさらに多いキャリアを割り当てることによって、端末３３０の伝送速度を高めることができる。
【００２０】
伝統的な意味として１つの基地局で送出され受信される１つの順方向キャリアと１つの逆方向キャリアが１つのセルを構成するとするとき、キャリア集積というのは、端末が同時に複数個のセルを通じてデータを送受信するものと理解されることもできる。これにより、最大伝送速度は、集積されるキャリアの数に比例して増加する。
【００２１】
以下、本発明を説明するにあたって、端末が任意の順方向キャリアを通じてデータを受信するか、任意の逆方向キャリアを通じてデータを伝送するというのは、キャリアを特徴付ける中心周波数と周波数帯域に対応するセルで提供される制御チャネルとデータチャネルを利用してデータを送受信するということと同一の意味を有する。また、以下、本発明の実施例は、説明の便宜のためにＬＴＥシステムを仮定して説明されるが、本発明は、キャリア集積を支援する各種無線通信システムに適用されることができる。
【００２２】
与えられた通信網で端末が正確に動作するためには、端末の性能関連情報が網に知られなければならない。性能関連情報として、端末がどんな機能（ｆｅａｔｕｒｅ）を支援するか、端末がどんな周波数帯域を支援するかに対する情報などがあり得る。端末の性能が高度化され、キャリア集積のような新しい機能が導入されるにつれて、端末の性能関連情報の複雑度とサイズも増加している。
【００２３】
キャリア集積を支援する端末が網に報告しなければならない性能関連情報は、次の通りである。
【００２４】
・端末が支援する周波数帯域
・端末が支援する周波数帯域の組合
・周波数帯域別にＭＩＭＯ  ｌａｙｅｒの数
・周波数帯域別に集積することができるセルの数
・周波数帯域別に最大ｂａｎｄｗｉｄｔｈ
性能関連情報は、相互組合で有意な性能を表現することができ、任意の端末は、網に下記のような性能関連情報を報告する。
【００２５】
・周波数バンド１で最大２０ＭＨｚ帯域幅にわたって４  ｌａｙｅｒで動作しながら２個のＣｅｌｌを集積することができる。
・周波数バンド１で最大１０ＭＨｚ帯域幅にわたって８  ｌａｙｅｒで動作しながら１個のＣｅｌｌを集積することができる。
・周波数バンド２で最大１０ＭＨｚ帯域幅にわたって４  ｌａｙｅｒで動作しながら１個のＣｅｌｌを集積することができる。
・周波数バンド１で最大１０ＭＨｚ帯域幅にわたって４  ｌａｙｅｒで動作しながら１個のＣｅｌｌを集積するとともに、周波数バンド２で最大１０ＭＨｚ帯域幅にわたって２  ｌａｙｅｒで動作しながら１個のＣｅｌｌを集積することができる。
【００２６】
性能関連情報を網に報告する最も簡単な方法は、性能関連情報を１つずつ明示的に報告するものである。しかし、キャリア集積など新しい機能の導入によって端末が次第にさらに多い数のバンド組合を支援する傾向にあるので、性能関連情報のサイズが急激に増加する問題点につながることができる。図４は、本発明の実施例による端末性能情報の一例を示す図である。本発明では、端末の性能を正確に且つ効率的に報告するために端末の性能情報が次のように構成されることができる。端末は、自分が支援するバンド組合それぞれを１つの単位情報で構成し、且つ１つの単位情報が最大限多い性能組合を含むことができるようにする。具体的に端末が支援するｂａｎｄ  ｃｏｍｂｉｎａｔｉｏｎは、図４に示されたように、関連情報で階層的に構成される。
【００２７】
・ｂａｎｄ  ｃｏｍｂｉｎａｔｉｏｎ情報４０５は、多数のｂａｎｄ  ｐａｒａｍｅｔｅｒ４１０で構成される。
・ｂａｎｄ  ｐａｒａｍｅｔｅｒは、ｂａｎｄ  ｉｎｄｉｃａｔｏｒ  ４１５、ＣＡ  ＢＷ／Ｃｅｌｌ  ｉｎｄｅｘ  ４２０及びｎｕｍｂｅｒ  ｏｆ  ｌａｙｅｒｓ  ４２５情報で構成される。
・ｂａｎｄ  ｉｎｄｉｃａｔｏｒ  ４１５は、バンドを指示するインデックスであり、３６．１０１に定義されている。
・ＣＡ  ＢＷ／Ｃｅｌｌ  ｉｎｄｅｘ  ４２０は、端末が当該ｂａｎｄ  ｃｏｍｂｉｎａｔｉｏｎの当該ｂａｎｄで支援するセルの個数と帯域幅を組み合わせて示すパラメータである。
【００２８】
例えば、ＣＡ  ＢＷ／Ｃｅｌｌ  ｉｎｄｅｘｎは、端末が当該周波数帯域で最大ｍ個のセルとｘＭＨｚの帯域幅を支援することを示す。帯域幅とセルの個数を個別的なパラメータとしてそれぞれ定義する代わりに、１つのパラメータとして定義することによって、オーバーヘッドを低減することができる。ＣＡ  ＢＷ／Ｃｅｌｌ  ｉｎｄｅｘ  ４２０の定義は、標準文書に固定された値で定義されることができる。説明の便宜のために、本発明では、下記の例を使用する。
【００２９】
−ＣＡ  ＢＷ／Ｃｅｌｌ  ｉｎｄｅｘ  ０：最大１０ＭＨｚにわたって１  Ｃｅｌｌ支援
−ＣＡ  ＢＷ／Ｃｅｌｌ  ｉｎｄｅｘ  １：最大２０ＭＨｚにわたって１  Ｃｅｌｌ支援
−ＣＡ  ＢＷ／Ｃｅｌｌ  ｉｎｄｅｘ  ２：最大２０ＭＨｚにわたって２  Ｃｅｌｌ支援
−ＣＡ  ＢＷ／Ｃｅｌｌ  ｉｎｄｅｘ  ３：最大４０ＭＨｚにわたって２  Ｃｅｌｌ支援
【００３０】
ｎｕｍｂｅｒ  ｏｆ  ｌａｙｅｒｓ  ４２５情報は、端末が当該ｂａｎｄ  ｃｏｍｂｉｎａｔｉｏｎの当該ｂａｎｄで最大いくつかのレイヤーで動作することができるかを示す情報である。
【００３１】
その後、説明の便宜のために、ＣＡ  ＢＷ／Ｃｅｌｌ  ｉｎｄｅｘ  ４２０とｎｕｍｂｅｒ  ｏｆ  ｌａｙｅｒｓ  ４２５の情報組合を単位性能として指称する。１つのバンド組合（例えばバンドｘとバンドｙ）に対してただ１つの性能組合だけが存在するものではなく、例えば下記のように複数の単位性能組合を支援することが一般的である。
【００３２】
１．［ｂａｎｄ  ｘ；ＣＡ  ＢＷ／Ｃｅｌｌ  ｉｎｄｅｘ＝０；ｎｕｍｂｅｒ  ｏｆ  ｌａｙｅｒｓ＝４］＆［ｂａｎｄ  ｙ；ＣＡ  ＢＷ／Ｃｅｌｌ  ｉｎｄｅｘ＝０；ｎｕｍｂｅｒ  ｏｆ  ｌａｙｅｒｓ＝４］
２．［ｂａｎｄ  ｘ；ＣＡ  ＢＷ／Ｃｅｌｌ  ｉｎｄｅｘ＝１；ｎｕｍｂｅｒ  ｏｆ  ｌａｙｅｒｓ＝４］＆［ｂａｎｄ  ｙ；ＣＡ  ＢＷ／Ｃｅｌｌ  ｉｎｄｅｘ＝０；ｎｕｍｂｅｒ  ｏｆ  ｌａｙｅｒｓ＝４］
３．［ｂａｎｄ  ｘ；ＣＡ  ＢＷ／Ｃｅｌｌ  ｉｎｄｅｘ＝０；ｎｕｍｂｅｒ  ｏｆ  ｌａｙｅｒｓ＝４］＆［ｂａｎｄ  ｙ；ＣＡ  ＢＷ／Ｃｅｌｌ  ｉｎｄｅｘ＝１；ｎｕｍｂｅｒ  ｏｆ  ｌａｙｅｒｓ＝４］
４．［ｂａｎｄ  ｘ；ＣＡ  ＢＷ／Ｃｅｌｌ  ｉｎｄｅｘ＝１；ｎｕｍｂｅｒ  ｏｆ  ｌａｙｅｒｓ＝４］＆［ｂａｎｄ  ｙ；ＣＡ  ＢＷ／Ｃｅｌｌ  ｉｎｄｅｘ＝１；ｎｕｍｂｅｒ  ｏｆ  ｌａｙｅｒｓ＝４］
５．［ｂａｎｄ  ｘ；ＣＡ  ＢＷ／Ｃｅｌｌ  ｉｎｄｅｘ＝２；ｎｕｍｂｅｒ  ｏｆ  ｌａｙｅｒｓ＝２］＆［ｂａｎｄ  ｙ；ＣＡ  ＢＷ／Ｃｅｌｌ  ｉｎｄｅｘ＝０；ｎｕｍｂｅｒ  ｏｆ  ｌａｙｅｒｓ＝４］
【００３３】
この際、１つの単位性能組合を１つのｂａｎｄ  ｃｏｍｂｉｎａｔｉｏｎ情報に収納して個別的に報告すれば、端末の性能情報サイズが増加する問題点が発生する。オーバーヘッドを低減するために、ｂａｎｄ  ｐａｒａｍｅｔｅｒに複数の単位性能を含ませ、１つのｂａｎｄ  ｃｏｍｂｉｎａｔｉｏｎのバンドパラメータの間で含まれた単位性能間のすべての組合を端末が支援するものと定義すれば、端末性能報告のオーバーヘッドを相当部分低減することができる。この場合、端末は、組合１〜組合５をすべて個別的なｂａｎｄ  ｃｏｍｂｉｎａｔｉｏｎ情報として報告する代わりに、組合１〜組合４は、１つのｂａｎｄ  ｃｏｍｂｉｎａｔｉｏｎ情報として包括することが可能である。すなわち、端末は、バンドｘとバンドｙの組合については、下記のように２つのｂａｎｄ  ｃｏｍｂｉｎａｔｉｏｎ情報のみを報告する。
【００３４】
・［ｂａｎｄ  ｘ；（ＣＡ  ＢＷ／Ｃｅｌｌ  ｉｎｄｅｘ＝０、ｎｕｍｂｅｒ  ｏｆ  ｌａｙｅｒｓ＝４）、（ＣＡ  ＢＷ／Ｃｅｌｌ  ｉｎｄｅｘ＝１、ｎｕｍｂｅｒ  ｏｆ  ｌａｙｅｒｓ＝４）］＆［ｂａｎｄ  ｙ；（ＣＡ  ＢＷ／Ｃｅｌｌ  ｉｎｄｅｘ＝０、ｎｕｍｂｅｒ  ｏｆ  ｌａｙｅｒｓ＝４）、（ＣＡ  ＢＷ／Ｃｅｌｌ  ｉｎｄｅｘ＝１、ｎｕｍｂｅｒ  ｏｆ  ｌａｙｅｒｓ＝４）］
・［ｂａｎｄ  ｘ；（ＣＡ  ＢＷ／Ｃｅｌｌ  ｉｎｄｅｘ＝２、ｎｕｍｂｅｒ  ｏｆ  ｌａｙｅｒｓ＝２）］＆［ｂａｎｄ  ｙ；（ＣＡ  ＢＷ／Ｃｅｌｌ  ｉｎｄｅｘ＝０、ｎｕｍｂｅｒ  ｏｆ  ｌａｙｅｒｓ＝４）］
【００３５】
図５は、本発明の実施例による端末性能情報の他の例を示す図である。
【００３６】
図５を参照すれば、端末の性能情報は、下記のように構成されることができる。
【００３７】
・ｂａｎｄ  ｃｏｍｂｉｎａｔｉｏｎ  ５０５は、多数のｂａｎｄ  ｐａｒａｍｅｔｅｒによって構成される。
・ｂａｎｄ  ｐａｒａｍｅｔｅｒ  ５１０は、１つのｂａｎｄ  ｉｎｄｉｃａｔｏｒ  ５１５と多数の単位性能５２０、５２５とで構成される。
【００３８】
端末は、ｂａｎｄ  ｐａｒａｍｅｔｅｒ  ５１０に多数の単位性能が含まれる場合、同一のｂａｎｄ  ｃｏｍｂｉｎａｔｉｏｎの１つのｂａｎｄ  ｐａｒａｍｅｔｅｒに含まれたすべての単位性能と他のｂａｎｄ  ｐａｒａｍｅｔｅｒに含まれたすべての単位性能５３０、５３５間のすべての組合が支援されるように構成する。言い換えれば、端末は、自分が支援する単位性能組合を考慮してｂａｎｄ  ｐａｒａｍｅｔｅｒにいくつかの単位性能、そしてどんな単位性能を含ませるかを決定する。
【００３９】
単位性能５２０と単位性能５３０の組合、単位性能５２０と単位性能５３５の組合、単位性能５２５と単位性能５３０の組合、単位性能５２５と単位性能５３５の組合を端末が支援すれば、端末は、図５のように、単位性能５２０と単位性能５２５を１つのバンドパラメータ５１０に含ませて単位性能５３０と単位性能５３５を他のバンドパラメータに含ませる。図６は、本発明の実施例によるｍｅａｓｕｒｅｍｅｎｔ  ｇａｐを説明する図である。図６を参照すれば、端末が１つの周波数帯域で動作しているとき、他の周波数のキャリアを測定する必要がある。この際、端末の送受信機の構造によって現在使用中のＲＦ装置（ＲＦ  ｆｒｏｎｔ  ｅｎｄ）の周波数をターゲット周波数に変換して測定を行わなければならない。この場合、基地局は、端末にｍｅａｓｕｒｅｍｅｎｔ  ｇａｐというデータ送受信が進行されない時間区間を割り当てる。それでは、端末は、ｍｅａｓｕｒｅｍｅｎｔ  ｇａｐで他の周波数キャリアを測定することができる。
【００４０】
このために、基地局は、端末がどんな場合にｍｅａｓｕｒｅｍｅｎｔ  ｇａｐが必要であり、どんな場合に必要ではないか、すなわちｍｅａｓｕｒｅｍｅｎｔ  ｇａｐ  ｒｅｑｕｉｒｅｍｅｎｔを認知しなければならない。任意の周波数帯域に対してｍｅａｓｕｒｅｍｅｎｔ  ｇａｐが必要であるか否かは、端末がどんな周波数帯域でいくつかのセルといくつかのレイヤーを使用してデータ送受信をしているか否かと関連がある。
【００４１】
例えば、キャリア集積機能を支援する端末なら複数のＲＦ装置を備えることが一般的である。したがって、端末が１つの周波数帯域だけでデータ送受信をしていたら、他のＲＦ装置を利用してｍｅａｓｕｒｅｍｅｎｔをすることが可能なので、ｍｅａｓｕｒｅｍｅｎｔ  ｇａｐが必要でない。一方、端末が２つの周波数帯域でデータ送受信をしていたら、ｍｅａｓｕｒｅｍｅｎｔのために使用する余分のＲＦ装置がないので、ｍｅａｓｕｒｅｍｅｎｔ  ｇａｐが必要である。端末が周波数帯域１  ６０５と周波数帯域２  ６１０で所定の設定（例えば、周波数帯域１  ６０５では、１個のサービングセルで２個のレイヤーを使用し、周波数帯域２  ６１０では、１個のサービングセルで４個のレイヤーを使用）を利用すると仮定する。もし、端末がデータを送受信しながら周波数帯域３６１５を測定することができなければ、周波数帯域３  ６１５を測定するためには、ｍｅａｓｕｒｅｍｅｎｔ  ｇａｐが設定されなければならない。このような設定に対する周波数帯域３  ６１５のｍｅａｓｕｒｅｍｅｎｔ  ｇａｐ  ｒｅｑｕｉｒｅｍｅｎｔは、‘ｍｅａｓｕｒｅｍｅｎｔ  ｇａｐが必要  ６２０’である。
【００４２】
端末が周波数帯域１  ６０５と周波数帯域３  ６１５で所定の設定を利用してデータを送受信しながら周波数帯域２  ６１０を測定することができたら、当該設定に対する周波数帯域２  ６１０のｍｅａｓｕｒｅｍｅｎｔ  ｇａｐ  ｒｅｑｕｉｒｅｍｅｎｔは、‘ｍｅａｓｕｒｅｍｅｎｔ  ｇａｐが必要なし６３０’である。これを考慮すれば、端末の各ｂａｎｄ  ｃｏｍｂｉｎａｔｉｏｎに対して単位性能組合別に、端末が支援するバンドに対するｍｅａｓｕｒｅｍｅｎｔ  ｇａｐ  ｒｅｑｕｉｒｅｍｅｎｔを並べることが合理的である。この際、所定のｂａｎｄ  ｃｏｍｂｉｎａｔｉｏｎの所定の単位性能組合に対するｍｅａｓｕｒｅｍｅｎｔ  ｇａｐ  ｒｅｑｕｉｒｅｍｅｎｔの集合がどんなｂａｎｄ  ｃｏｍｂｉｎａｔｉｏｎのどんな性能組合に対するものであるかを別途に表記することを避けるために、ｂａｎｄ  ｃｏｍｂｉｎａｔｉｏｎ情報が収納された順にｍｅａｓｕｒｅｍｅｎｔ  ｇａｐ  ｒｅｑｕｉｒｅｍｅｎｔを収納する。
【００４３】
例えば、ｂａｎｄ  ｃｏｍｂｉｎａｔｉｏｎ情報１、ｂａｎｄ  ｃｏｍｂｉｎａｔｉｏｎ情報２、ｂａｎｄ  ｃｏｍｂｉｎａｔｉｏｎ情報３の順に所定の制御メッセージに収納されたら、ｂａｎｄ  ｃｏｍｂｉｎａｔｉｏｎ情報１に対するｍｅａｓｕｒｅｍｅｎｔ  ｇａｐ  ｒｅｑｕｉｒｅｍｅｎｔ集合、ｂａｎｄ  ｃｏｍｂｉｎａｔｉｏｎ情報２に対するｍｅａｓｕｒｅｍｅｎｔ  ｇａｐ  ｒｅｑｕｉｒｅｍｅｎｔ集合そしてｂａｎｄ  ｃｏｍｂｉｎａｔｉｏｎ情報３に対するｍｅａｓｕｒｅｍｅｎｔ  ｇａｐ  ｒｅｑｕｉｒｅｍｅｎｔ集合の順に制御メッセージに収納される。このように制御情報の構造を定義することによって、シグナリングオーバーヘッドを低減することができる。すなわち本発明では、１つのｂａｎｄ  ｃｏｍｂｉｎａｔｉｏｎ情報に対しては、１つのｍｅａｓｕｒｅｍｅｎｔ  ｇａｐが定義されることができるように、１つのｂａｎｄ  ｃｏｍｂｉｎａｔｉｏｎ情報で支持される単位性能組合は、同一のｍｅａｓｕｒｅｍｅｎｔ  ｇａｐ  ｒｅｑｕｉｒｅｍｅｎｔを有するようにする。例を取って説明すれば、下記の通りである。
【００４４】
任意の端末が下記のように９個の単位性能組合を支援し、各々の単位性能組合に対するｍｅａｓｕｒｅｍｅｎｔ  ｇａｐ  ｒｅｑｕｉｒｅｍｅｎｔは、下記の通りである。
【表１】
0005982403.tif 000002
【００４５】
単位性能組合１、２そして３は、同一の周波数帯域に関するもので、同一のｍｅａｓｕｒｅｍｅｎｔ  ｇａｐ  ｒｅｑｕｉｒｅｍｅｎｔを共有するので、下記のように１つのｂａｎｄ  ｃｏｍｂｉｎａｔｉｏｎ情報で表現されることができる。
【００４６】
＜単位性能組合１、２、３に対するｂａｎｄ  ｃｏｍｂｉｎａｔｉｏｎ情報＞
【表２】
0005982403.tif 000003
【００４７】
また、単位性能組合４と５は、同一の周波数帯域に関するもので、同一のｍｅａｓｕｒｅｍｅｎｔ  ｇａｐ  ｒｅｑｕｉｒｅｍｅｎｔを共有するので、下記のように１つのｂａｎｄ  ｃｏｍｂｉｎａｔｉｏｎ情報に包括することができる。
【００４８】
＜単位性能組合４、５に対するｂａｎｄ  ｃｏｍｂｉｎａｔｉｏｎ情報＞
【表３】
0005982403.tif 000004
【００４９】
単位性能組合６、７、８、９は、同一の周波数帯域組合に関するものではあるが、ｍｅａｓｕｒｅｍｅｎｔ  ｇａｐ  ｒｅｑｕｉｒｅｍｅｎｔが異なるという点などを考慮すれば、１つのｂａｎｄ  ｃｏｍｂｉｎａｔｉｏｎ情報に包括することができない。同一のｍｅａｓｕｒｅｍｅｎｔ  ｇａｐ  ｒｅｑｕｉｒｅｍｅｎｔを有し、単位性能間の組合で表現可能な単位性能組合６、７は、下記のように１つのｂａｎｄ  ｃｏｍｂｉｎａｔｉｏｎ情報に包括されることができる。
【００５０】
＜単位性能組合６、７に対するｂａｎｄ  ｃｏｍｂｉｎａｔｉｏｎ情報＞
【表４】
0005982403.tif 000005
【００５１】
単位性能組合８と９は、単位性能間の組合という側面では、１つのｂａｎｄ  ｃｏｍｂｉｎａｔｉｏｎ情報に含まれることができるが、ｍｅａｓｕｒｅｍｅｎｔ  ｇａｐが異なるので、各々別途のｂａｎｄ  ｃｏｍｂｉｎａｔｉｏｎ情報にシグナリングされる。
【００５２】
＜単位性能組合８のためのｂａｎｄ  ｃｏｍｂｉｎａｔｉｏｎ＞
【表５】
0005982403.tif 000006
【００５３】
＜単位性能組合９のためのｂａｎｄ  ｃｏｍｂｉｎａｔｉｏｎ＞
【表６】
0005982403.tif 000007
【００５４】
要約するには、本発明で端末の性能関連情報は、下記のように構成される。
【００５５】
・ｂａｎｄ  ｃｏｍｂｉｎａｔｉｏｎ情報は、１つあるいは多数のｂａｎｄ  ｐａｒａｍｅｔｅｒによって構成される。
・ｂａｎｄ  ｐａｒａｍｅｔｅｒは、１つのｂａｎｄ  ｉｎｄｉｃａｔｏｒと１つあるいは多数の単位性能で構成される。
・ｂａｎｄ  ｐａｒａｍｅｔｅｒに多数の単位性能が含まれる場合、同一のｂａｎｄ  ｃｏｍｂｉｎａｔｉｏｎの１つのｂａｎｄ  ｐａｒａｍｅｔｅｒに含まれたすべての単位性能と他のｂａｎｄ  ｐａｒａｍｅｔｅｒに含まれたすべての単位性能間のすべての組合が支援され、上記すべての単位性能組合が同一のｍｅａｓｕｒｅｍｅｎｔ  ｇａｐ  ｒｅｑｕｉｒｅｍｅｎｔを有する。言い替えれば、端末は、自分が支援する単位性能組合と各々のｍｅａｓｕｒｅｍｅｎｔ  ｇａｐ  ｒｅｑｕｉｒｅｍｅｎｔを考慮してｂａｎｄ  ｐａｒａｍｅｔｅｒにいくつかの単位性能、そしてどんな単位性能を含ませるかを決定する。
【００５６】
結果的に、同一の周波数バンド組合に対して多数のｂａｎｄ  ｃｏｍｂｉｎａｔｉｏｎ情報がシグナリングされることができる。
【００５７】
参照としてｂａｎｄ  ｐａｒａｍｅｔｅｒ当たり単位性能は、順方向と逆方向に対して別途に表示される。端末は、逆方向単位性能と順方向単位性能のすべての組合を端末が支援する場合にのみ、端末は、上記単位性能を１つのｂａｎｄ  ｃｏｍｂｉｎａｔｉｏｎに含ませる。
【００５８】
任意の２つの単位性能組合が同一のｍｅａｓｕｒｅｍｅｎｔ  ｇａｐ  ｒｅｑｕｉｒｅｍｅｎｔを有するということは、２つの性能組合のｍｅａｓｕｒｅｍｅｎｔ  ｇａｐ  ｒｅｑｕｉｒｅｍｅｎｔ情報が同一であることを意味する。そして、任意の性能組合に対するｍｅａｓｕｒｅｍｅｎｔ  ｇａｐ  ｒｅｑｕｉｒｅｍｅｎｔ情報というのは、端末が単位性能組合で動作するとき（すなわち単位性能組合が属するバンド組合で単位性能組合が代弁するセルの個数と帯域幅とレイヤで動作するとき）端末が支援する周波数帯域に対する測定時にｍｅａｓｕｒｅｍｅｎｔ  ｇａｐが必要であるか否かを周波数帯域別に１ビットで示す情報である。
【００５９】
図７は、本発明の実施例によるＬＴＥシステムで全体動作を示す図である。図７を参照すれば、端末７０５、基地局７１０、ＭＭＥ  ７１５などで構成された移動通信システムにおいて端末７０５が７２０段階でｐｏｗｅｒ  ｏｎになる。端末７０５は、７２５段階で、セル検索過程などを通じて電波が受信されるセルとＰＬＭＮを検索し、これに基づいてどんなＰＬＭＮのどんなセルを通じて登録過程を行うかを決定する。端末７０５は、７３０段階で、上記選択したセルを通じてＲＲＣ連結設定過程を行った後、登録を要請する制御メッセージＡＴＴＡＣＨ  ＲＥＱＵＥＳＴをＭＭＥ  ７１５に伝送する。上記メッセージには、端末の識別子などのような情報が含まれる。ＭＭＥ  ７１５は、７３５段階で、ＡＴＴＡＣＨ  ＲＥＱＵＥＳＴメッセージを受信すれば、端末の登録を許容するか否かを判断した後、許容することに決定したら、端末７０５のサービング基地局にＩｎｉｔｉａｌ  Ｃｏｎｔｅｘｔ  Ｓｅｔｕｐ  Ｒｅｑｕｅｓｔという制御メッセージを伝送する。ＭＭＥ  ７１５が端末７０５の性能情報を持っていたら、Ｉｎｉｔｉａｌ  Ｃｏｎｔｅｘｔ  Ｓｅｔｕｐ  Ｒｅｑｕｅｓｔメッセージに端末の性能関連情報を含ませて伝送させる。ここで、初期登録過程では、ＭＭＥ  ７１５がこのような情報を有していないので、Ｉｎｉｔｉａｌ  Ｃｏｎｔｅｘｔ  Ｓｅｔｕｐ  Ｒｅｑｕｅｓｔメッセージに端末の性能関連情報を含まれない。
【００６０】
基地局７１０は、７４０段階で、端末７０５の性能情報が含まれないＩｎｉｔｉａｌ  Ｃｏｎｔｅｘｔ  Ｓｅｔｕｐ  Ｒｅｑｕｅｓｔメッセージを受信すれば、端末７０５にＵＥ  ＣＡＰＡＢＩＬＩＴＹ  ＥＮＱＵＩＲＹという制御メッセージを伝送する。ＵＥ  ＣＡＰＡＢＩＬＩＴＹ  ＥＮＱＵＩＲＹメッセージは、端末７０５に性能を報告することを指示するものであり、ＲＡＴ  Ｔｙｐｅというパラメータを利用して端末７０５の特定ＲＡＴ（Ｒａｄｉｏ  Ａｃｃｅｓｓ  Ｔｅｃｈｎｏｌｏｇｙ）に対する性能情報を要求する。端末７０５がＬＴＥ網で上記過程を行っていたら、ＲＡＴ−Ｔｙｐｅは、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定される。基地局７１０は、周辺に他の無線網、例えば、ＵＭＴＳ網があれば、以後ハンドオーバーなどに備えて、ＲＡＴ−ＴｙｐｅにＵＴＲＡを追加して端末のＵＭＴＳ関連性能情報をも要求することができる。
【００６１】
端末７０５は、ＵＥ  ＣＡＰＡＢＩＬＩＴＹ  ＥＮＱＵＩＲＹ制御メッセージを受信すれば、ＲＡＴ  Ｔｙｐｅで指示された無線技術に対する自分の性能情報を収納したＵＥ  ＣＡＰＡＢＩＬＩＴＹＩＮ  ＦＯＲＭＡＴＩＯＮ情報を生成する。ＵＥ  ＣＡＰＡＢＩＬＩＴＹ  ＥＮＱＵＩＲＹ制御メッセージに端末７０５が支援するバンド組合別に１つあるいは１つ以上のｂａｎｄ  ｃｏｍｂｉｎａｔｉｏｎ情報が収納される。ｂａｎｄ  ｃｏｍｂｉｎａｔｉｏｎ情報には、１つあるいはそれ以上の単位性能が収納され、端末７０５は、１つのｂａｎｄ  ｃｏｍｂｉｎａｔｉｏｎ情報に収納された単位性能情報のすべての組合を端末が支援しながらすべての組合が同一のｍｅａｓｕｒｅｍｅｎｔ  ｇａｐ  ｒｅｑｕｉｒｅｍｅｎｔを有するようにｂａｎｄ  ｃｏｍｂｉｎａｔｉｏｎ情報を構成する。結果的に、同一のバンド組合に対して多数のｂａｎｄ  ｃｏｍｂｉｎａｔｉｏｎ情報が含まれることができる。
【００６２】
端末７０５は、７４５段階で、ＵＥ  ＣＡＰＡＢＩＬＩＴＹ  ＩＮＦＯＲＭＡＴＩＯＮメッセージを基地局に伝送する。基地局７１０は、７５０段階で、ＵＥ  ＣＡＰＡＢＩＬＩＴＹ  ＩＮＦＯＲＭＡＴＩＯＮメッセージに収納された端末７０５の性能情報をＭＭＥ  ７１５に報告するためにＵＥ  ＣＡＰＡＢＩＬＩＴＹ  ＩＮＦＯＩＮＤＩＣＡＴＩＯＮメッセージをＭＭＥ  ７１５に伝送する。基地局７１０は、７５５段階で、端末７０５が報告した性能情報に基づいて端末のトラフィック状況やチャネル状況などを参考して端末７０５を再設定する。例えば、端末７０５に追加的なキャリアを設定するか、ＭＩＭＯを設定するか、異なる周波数に対する測定を命令しながらｍｅａｓｕｒｅｍｅｎｔ  ｇａｐを設定する。端末７０５は、７６０段階で、基地局７１０が命令する通り、再設定を行い、通常的な通信過程を行う。
【００６３】
図８は、本発明の実施例による端末の動作を示す図である。
【００６４】
図８を参照すれば、８０５段階で、ＵＥ  ＣＡＰＡＢＩＬＩＴＹ  ＥＮＱＵＩＲＹ制御メッセージを受信すれば、端末は、８１０段階に進行し、ＲＡＴ  Ｔｙｐｅを確認する。もしＲＡＴ  ＴｙｐｅがＥＵＴＲＡに設定されていれば、端末は、８２０段階に進行し、ＥＵＴＲＡではない他の値に設定されていれば、８１５段階に進行する。８１５段階で、端末は、従来技術によって動作する。８２０段階で、端末は、自分のＬＴＥ性能情報をＵＥ  ＣＡＰＡＢＩＬＩＴＹ  ＩＮＦＯＲＭＡＴＩＯＮ制御メッセージに収納して伝送する。ＬＴＥ性能情報には、端末が支援するバンド組合に対して１つあるいは１つ以上のｂａｎｄ  ｃｏｍｂｉｎａｔｉｏｎ情報が含まれる。ｂａｎｄ  ｃｏｍｂｉｎａｔｉｏｎ情報には、１つあるいは１つ以上の単位性能が含まれ、単位性能が下記の条件に符合する場合にのみ１つのｂａｎｄ  ｃｏｍｂｉｎａｔｉｏｎに含まれる。
【００６５】
・単位性能のすべての組合が端末によって支援される。
・単位性能のすべての組合が同一のｍｅａｓｕｒｅｍｅｎｔ  ｇａｐ  ｒｅｑｕｉｒｅｍｅｎｔを有する。
【００６６】
図９は、本発明の実施例による端末の構成を示すブロック図である。
【００６７】
図９を参照すれば、本発明の実施例による端末は、送受信部９０５、制御部９１０、多重化及び逆多重化部９１５、制御メッセージ処理部９３０及び各種上位階層処理部９２０、９２５を含む。
【００６８】
送受信部９０５は、サービングセルの順方向チャネルでデータ及び所定の制御信号を受信し、逆方向チャネルでデータ及び所定の制御信号を伝送する。多数のサービングセルが設定された場合、送受信部９０５は、上記多数のサービングセルを通じたデータ送受信及び制御信号送受信を行う。ここで、送受信部９０５は、性能報告を指示する制御メッセージを受信する。
【００６９】
多重化及び逆多重化部９１５は、上位階層処理部９２０、９２５や制御メッセージ処理部９３０で発生したデータを多重化するか、送受信部９０５で受信されたデータを逆多重化し、適切な上位階層処理部９２０、９２５や制御メッセージ処理部９３０に伝達する役目をする。
【００７０】
制御メッセージ処理部９３０は、基地局から受信された制御メッセージを処理し、必要な動作を取る。すなわち、制御メッセージ処理部９３０は、ＵＥ  ＣＡＰＡＢＩＬＩＹＴ  ＥＮＱＵＩＲＹのような制御メッセージを受信すれば、制御メッセージの内容を解釈し、必要な動作、例えば端末のＬＴＥ性能情報を含むＵＥ  ＣＡＰＡＢＩＬＩＹＴ  ＩＮＦＯＲＭＡＴＩＯＮ制御メッセージを生成し、下位階層に伝達する。
【００７１】
上位階層処理部９２０、９２５は、サービス別に構成されることができ、ＦＴＰ（ＦｉｌｅＴｒａｎｓｆｅｒ  Ｐｒｏｔｏｃｏｌ）やＶｏＩＰ（Ｖｏｉｃｅｏｖｅｒ  ＩｎｔｅｒｎｅｔＰｒｏｔｏｃｏｌ）などのようなユーザサービスで発生するデータを処理する。そして、上位階層処理部９２０、９２５は、処理されたデータを多重化及び逆多重化部９１５に伝達する。また、上位階層処理部９２０、９２５は、多重化及び逆多重化部９１５から伝達されたデータを処理し、上位階層のサービスアプリケーションに伝達する。制御部９１０は、送受信部９０５を通じて受信されたスケジューリング命令、例えば逆方向グラントを確認し、適切な時点に適切な伝送資源で逆方向伝送が行われるように送受信部９０５と多重化及び逆多重化部９１５を制御する。
【００７２】
ここで、制御部９１０は、性能報告を指示する制御メッセージによって確認されたＲＡＴ（Ｒａｄｉｏ  Ａｃｃｅｓｓ  Ｔｅｃｈｎｏｌｏｇｙ）ＴｙｐｅがＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定されて判断する。そして、ＥＵＴＡＲに設定されていて、ＬＴＥシステムを支援することができる場合、制御部９１０は、送受信部９０５を制御し、端末が支援するバンド組合に対して少なくとも１つの以上のｂａｎｄ  ｃｏｍｂｉｎａｔｉｏｎ情報を伝送することができる。
【００７３】
次に、ｂａｎｄ  ｐａｒａｍｅｔｅｒ情報の下位情報としてシグナリングされるｎｕｍｂｅｒ  ｏｆ  ｌａｙｅｒｓについてさらに詳しく説明する。ＭＩＭＯ動作というのは、１つの端末がいくつかのアンテナを利用して同一の伝送資源で複数個のデータストリームを送受信する動作として要約されることができる。この際、上記アンテナ別に送受信されるストリームをレイヤーとも言う。そして単位性能で定義されるレイヤー個数（ｎｕｍｂｅｒ  ｏｆ  ｌａｙｅｒｓ）は、端末が当該単位性能でいくつかのデータストリームを送受信することができるか（あるいは、いくつかのアンテナを使用することができるか）を示す情報である。特に順方向の場合、端末が多数のアンテナを通じて（多数のレイヤーを使用して）データを受信するにあたって、アンテナ間の距離（ａｎｔｅｎｎａ  ｓｅｐａｒａｔｉｏｎ）は、性能を決定する最も重要な要素である。任意の周波数キャリアで動作するにあたって、もしａｎｔｅｎｎａ  ｓｅｐａｒａｔｉｏｎが波長の半分よりも短い場合、干渉によって性能が急激に低下する短所がある。したがって、端末に備えられたアンテナの個数がｎであるしても、周波数帯域によってレイヤー個数はｎより小さいことがある。周波数帯域別に最も効率的なレイヤーの個数は、端末に備えられたアンテナの個数、周波数帯域組合が互いに異なる周波数帯域との組合であるか、同一の周波数帯域との組合であるか、当該周波数帯域の波長、当該帯域の要求ａｎｔｅｎｎａｓｅｐａｒａｔｉｏｎなどによって変わることができる。
【００７４】
レイヤー個数を網に報告するにあたって、もう１つ考慮する事項は、基地局によってｂａｎｄ  ｃｏｍｂｉｎａｔｉｏｎ情報を解釈しないことがあるということである。これは、基地局の性能、年式などと関連した問題であって、例えば、制限された性能を有する基地局は、ｂａｎｄ  ｃｏｍｂｉｎａｔｉｏｎ情報を解釈しないことがある。したがって、すべての基地局が理解することができる情報と一部の基地局だけが理解することができる情報を二元化して提供することが好ましい。
【００７５】
上記事項を考慮して本発明では、レイヤー個数を下記のように報告する。
【００７６】
・レイヤー個数を示す情報は、第１情報と第２情報に区分される。
・第１情報は、すべての基地局が理解することができる情報であって、下記のような属性を有する。
【００７７】
−すべてのバンド組合に対して１つの値を有する。言い替えれば、端末当たり１つが提供される。端末は、第１情報として１つのレイヤー個数を提供し、第２情報を解釈しない基地局は、上記第１情報として提供されるレイヤー個数がすべてのバンドに適用されるものと判断し、端末のＭＩＭＯ構成を決定する。
【００７８】
−第１情報は、端末に備えられたアンテナの個数及び端末が支援する周波数バンドの種類によって決定される。さらに詳しく説明すれば、第１情報は、端末に備えられたアンテナの個数と同一であるかまたは低い値を有する。端末は、第１情報を選択するにあたって、端末が支援する周波数バンドをすべて考慮したとき、性能が極大化されるレイヤー個数を考慮する。例えば、端末が７００ＭＨｚと２．５ＧＨｚを支援し、４個のアンテナを具備している。端末が４個のアンテナをすべて使用する場合、アンテナ間の距離ａｎｔｅｎｎａ  ｓｅｐａｒａｔｉｏｎが６ｃｍであり、２個のアンテナを使用する場合、アンテナ間の距離が１８ｃｍであるとしよう。７００ＭＨｚで適切な性能を保障するために要求されるアンテナ間の距離は、波長の半分である２０ｃｍであり、２．５ＧＨｚでは、６ｃｍである。したがって、効率的に動作するレイヤーの個数は、７００ＭＨｚの場合、１であり、２．５ＧＨｚの場合、４である。この際、端末は、２つのうち適当な値または２つの場合の両方で適切な性能を示す他の値を第１情報として選択することができる。上記例では、レイヤーを２個使用するものが、１個使用するものに比べて７００ＭＨｚでは少しの性能低下があるが、２．５ＧＨｚでは、これを補償するに十分であるほどの性能改善があったら、第１情報としてレイヤー個数２を選択することもできる。
【００７９】
−第１情報は、他の情報と組合されたインデックス形態で提供されることができる。例えば、端末のベースバンド処理能力及びソフトバッファー能力などを規定する端末カテゴリー情報に結合されることができる。例えば、カテゴリーｘは、ｘ１  Ｍｂｐｓ処理能力とｘ２  ｂｉｔのソフトバッファー及びｘ３レイヤーの組合を意味し、カテゴリーｙは、ｙ１  Ｍｂｐｓ処理能力とｙ２  ｂｉｔのソフトバッファー及びｙ３レイヤーの組合を意味するとき、端末は、自分のカテゴリーを選択するにあたって、処理能力、ソフトバッファーのサイズ及び第１情報をすべて考慮して、上記情報を最も良好に表現するカテゴリーを選択する。例えば、端末がｚ１（ｙ１＞ｚ１＞ｘ１）Ｍｂｐｓ処理能力とｚ２  ｂｉｔ（ｙ２＞ｚ２＞ｘ２）のソフトバッファーを備えており、し第１情報として選択したレイヤー個数がｚ３（ｙ３＞ｚ３＞ｘ３）であれば、端末は、自分の処理能力ソフトバッファー容量及び第１レイヤー個数を超過することなく、最も類似に描くカテゴリーであるカテゴリーｘを選択して報告する。
【００８０】
・第２情報は、高性能基地局が理解することができる情報であり、下記のような属性を有する。
【００８１】
−バンド別に値を有する。端末は、ｂａｎｄ  ｃｏｍｂｉｎａｔｉｏｎ情報でバンド別に、当該バンド組合上でＭＩＭＯ動作を最も効率的に支援することができるレイヤー個数を第２情報として選択する。
【００８２】
−任意のバンドに対する第２情報は、上記バンドがどんなｂａｎｄ  ｃｏｍｂｉｎａｔｉｏｎにどんな単位性能の一部として含まれているか否か、当該バンドの波長の半分以上のアンテナ間の距離を提供することができるアンテナの個数（すなわち当該バンドの要求アンテナｓｅｐａｒａｔｉｏｎを提供するアンテナ構成でアンテナの個数）などと関連して決定される。
【００８３】
−端末が７００ＭＨｚと２．５ＧＨｚを支援し、４個のアンテナを備えている場合、７００ＭＨｚに対する要求アンテナｓｅｐａｒａｔｉｏｎは、２０ｃｍであり、２．５ＧＨｚに対する要求アンテナｓｅｐａｒａｔｉｏｎは、６ｃｍである。端末の形状（ｆｏｒｍ  ｆａｃｔｏｒ）でアンテナを２個使用する場合、最大アンテナｓｅｐａｒａｔｉｏｎが２１ｃｍであり、アンテナ４個を使用する場合、最大アンテナｓｅｐａｒａｔｉｏｎが７ｃｍであれば、端末は、第２情報として７００ＭＨｚバンドに対しては、レイヤー個数１個を、２．５ＧＨｚバンドに対しては、レイヤー個数４個を選択する。
【００８４】
−したがって、第１情報と第２情報は、互いに異なることができる。特に高い周波数バンドでは、第２情報が第１情報より高いことがあり、低い周波数バンドでは、第２情報が第１情報より低いことがある。
【００８５】
図１０は、本発明の他の実施例によるレイヤー個数報告及びＭＩＭＯ設定と関連した端末と基地局の動作を示す図である。
【００８６】
図１０を参照すれば、端末１００５、基地局１０１０、ＭＭＥ  １０１５などで構成された移動通信システムにおいて端末１００５が１０２０段階でｐｏｗｅｒ  ｏｎされる。端末１００５は、１０２５段階で、セル検索過程などを通じて電波が受信されるセルとＰＬＭＮを検索し、これに基づいてどんなＰＬＭＮのどんなセルを通じて登録過程を行うかを決定する。端末１００５は、１０３０段階で、上記選択したセルを通じてＲＲＣ連結設定過程を行った後、登録を要請する制御メッセージＡＴＴＡＣＨ  ＲＥＱＵＥＳＴをＭＭＥ  １０１５に伝送する。上記メッセージには、端末１００５の識別子などのような情報が含まれる。
【００８７】
ＭＭＥ  １０１５は、ＡＴＴＡＣＨ  ＲＥＱＵＥＳＴメッセージを受信すれば、端末１００５の登録を許容するか否かを判断する。登録を許容することに決定したら、ＭＭＥ  １０１５は、１０３５段階で、端末１００５のサービング基地局１０１０にＩｎｉｔｉａｌ  Ｃｏｎｔｅｘｔ  Ｓｅｔｕｐ  Ｒｅｑｕｅｓｔという制御メッセージを伝送する。ＭＭＥ  １０１５が端末１００５の性能情報を有していれば、上記メッセージに端末の性能関連情報を含ませて伝送させる。しかし、初期登録過程では、ＭＭＥ  １０１５がこのような情報を有していないので、上記メッセージに端末の性能関連情報を含まれない。
【００８８】
基地局１０１０は、１０４０段階で、端末の性能情報が含まれないＩｎｉｔｉａｌ  Ｃｏｎｔｅｘｔ  Ｓｅｔｕｐ  Ｒｅｑｕｅｓｔメッセージを受信すれば、端末１００５にＵＥ  ＣＡＰＡＢＩＬＩＴＹ  ＥＮＱＵＩＲＹという制御メッセージを伝送する。上記メッセージは、端末１００５に性能を報告することを指示するものであり、ＲＡＴ  Ｔｙｐｅというパラメータを利用して端末の特定ＲＡＴ（Ｒａｄｉｏ  Ａｃｃｅｓｓ  Ｔｅｃｈｎｏｌｏｇｙ）に対する性能情報を要求する。もし、端末１００５がＬＴＥ網で上記過程を行っていたら、ＲＡＴ−Ｔｙｐｅは、ＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）に設定される。基地局１０１０は、周辺に他の無線網、例えばＵＭＴＳ網があれば、以後ハンドオーバーなどに備えて、ＲＡＴ−ＴｙｐｅにＵＴＲＡを追加し、端末のＵＭＴＳ関連性能情報も要求することができる。端末１００５は、ＵＥ  ＣＡＰＡＢＩＬＩＴＹ  ＥＮＱＵＩＲＹ制御メッセージを受信すれば、ＲＡＴ  Ｔｙｐｅで指示された無線技術に対する自分の性能情報を収納したＵＥ  ＣＡＰＡＢＩＬＩＴＹ  ＩＮＦＯＲＭＡＴＩＯＮ情報を生成する。上記制御メッセージには、端末１００５のＭＩＭＯ  ｃａｐａｂｉｌｉｔｙを示す１つの第１情報と多数の第２情報が収納される。そして、第２情報は、バンド別に収納される。端末１００５は、前述したように、第１情報を通じて報告するレイヤー個数と第２情報を通じて報告するレイヤー個数を決定し、上記決定されたレイヤー個数が反映された第１情報と第２情報を上記制御メッセージの適切なフィールドに収納する。端末１００５は、１０４５段階で、ＵＥ  ＣＡＰＡＢＩＬＩＴＹ  ＩＮＦＯＲＭＡＴＩＯＮメッセージを基地局１０１０に伝送する。基地局１０１０は、１０５０段階で、上記ＵＥ  ＣＡＰＡＢＩＬＩＴＹ  ＩＮＦＯＲＭＡＴＩＯＮメッセージに収納された端末の性能情報をＭＭＥ  １０１５に報告するために、ＵＥ  ＣＡＰＡＢＩＬＩＴＹ  ＩＮＦＯＩＮＤＩＣＡＴＩＯＮメッセージをＭＭＥ１０１５に伝送する。
【００８９】
基地局１０１０は、１０５５段階で、端末１００５が報告した性能情報に基づいて端末のトラフィック状況やチャネル状況などを参考して端末１００５を再設定する。この際、もし、端末１００５が第１情報だけを理解することができたら、基地局１０１０は、上記第１情報で指示されたレイヤー個数を考慮して端末１００５にＭＩＭＯ構成を決定して伝送する。上記ＭＩＭＯ構成を定義する情報としては、レイヤーの個数と伝送モード（ＴＭｃｏｎｆｉｇｕｒａｔｉｏｎ；ｔｒａｎｓｍｉｓｓｉｏｎ  ｍｏｄｅ）などがある。伝送モードは、端末のフィードバック方式、ｔｒａｎｓｍｉｔ  ｄｉｖｅｒｓｉｔｙ使用可否、ａｎｔｅｎｎａ  ｐｏｒｔなどが結合された情報であり、３６．２１３などに定義されている。
【００９０】
端末１００５は、１０６０段階で、基地局１０１０が命令する通り、次第に再設定を行い、通常的な通信過程を行う。
【００９１】
図１１は、本発明の他の実施例による端末の動作を示す図である。
【００９２】
図１１を参照すれば、１１０５段階で、ＵＥ  ＣＡＰＡＢＩＬＩＴＹ  ＥＮＱＵＩＲＹ制御メッセージを受信すれば、端末は、１１１０段階に進行し、ＲＡＴ  Ｔｙｐｅを確認する。もし、ＲＡＴ  ＴｙｐｅがＥＵＴＲＡに設定されていれば、端末は、１１２０段階に進行し、ＥＵＴＲＡではない他の値に設定されていれば、１１１５段階に進行する。１１１５段階で、端末は、従来技術によって動作する。１１２０段階で、端末は、自分のＬＴＥ性能情報をＵＥ  ＣＡＰＡＢＩＬＩＴＹ  ＩＮＦＯＲＭＡＴＩＯＮ制御メッセージに収納して伝送する。上記ＬＴＥ性能情報には、端末が支援するバンド組合に対して１つあるいは１つ以上のｂａｎｄ  ｃｏｍｂｉｎａｔｉｏｎ情報が含まれる。ｂａｎｄ  ｃｏｍｂｉｎａｔｉｏｎ情報には、１つあるいは１つ以上の単位性能が含まれ、単位性能が下記の条件に符合する場合にのみ、１つのｂａｎｄ  ｃｏｍｂｉｎａｔｉｏｎに含まれる。
【００９３】
・単位性能のすべての組合が端末によって支援される。
・単位性能のすべての組合が同一のｍｅａｓｕｒｅｍｅｎｔ  ｇａｐ  ｒｅｑｕｉｒｅｍｅｎｔを有する。
【００９４】
上記ｂａｎｄ  ｃｏｍｂｉｎａｔｉｏｎ情報の単位性能には、第２情報が収納され、第２情報（あるいは第２レイヤー個数）は、当該周波数帯域の要求アンテナｓｅｐａｒａｔｉｏｎを満たす最大の値として決定される。上記ＵＥ  ＣＡＰＡＢＩＬＩＴＹ  ＩＮＦＯＲＭＡＴＩＯＮ制御メッセージには、また、第１情報（あるいは、第１レイヤー個数）が反映されたＵＥｃａｔｅｇｏｒｙ情報が収納される。以上のように、例示された図面を参照して、本発明の実施例を説明したが、本発明の属する技術分野における通常の知識を有する者は、本発明がその技術的思想や必須な特徴を変更することなく、他の具体的な形態で実施されることができるということを理解することができる。したがって、以上で記述した実施例は、すべての面で例示的なものであり、限定的でないものと理解しなければならない。
【符号の説明】
【００９５】
３０５  基地局
３１０  キャリア
３１５  キャリア
３３０  端末
７０５  端末
７１０  基地局
７１０  ＭＭＥ
７１５  基地局
９０５  送受信部
９１０  制御部
９１５  逆多重化部
９２０、９２５  種上位階層処理部
９２０、９２５  上位階層処理部
９３０  制御メッセージ処理部
１００５  端末
１０１０  基地局
１０１５  基地局
【図１】
0005982403.tif 000008
【図２】
0005982403.tif 000009
【図３】
0005982403.tif 000010
【図４】
0005982403.tif 000011
【図５】
0005982403.tif 000012
【図６】
0005982403.tif 000013
【図７】
0005982403.tif 000014
【図８】
0005982403.tif 000015
【図９】
0005982403.tif 000016
【図１０】
0005982403.tif 000017
【図１１】
0005982403.tif 000018